(57)【特許請求の範囲】
【請求項１】
洗い場パンの水栓設置位置を下方から臨む位置に、配管ガイド筒が、洗い場パンの床面を貫通して洗い場パンに水密に装着され、
可撓性配管が、前記配管ガイド筒を介して、前記洗い場パンの下方から浴室内に挿入されて水栓に接続され、
前記配管ガイド筒は、
前記洗い場パン上に立ち上がるノズル部を有する合成樹脂製のガイド本体と、
前記ノズル部が水密に内嵌され、少なくとも上端部が、挿入される前記可撓性配管の外径と略同じか少し小径の内径に形成されたゴム状弾性を有する筒状パッキンと
を備え、
該筒状パッキンの上端縁の高さが前記洗い場パンの周端縁部の高さより高くなるように形成され、
前記ガイド本体は、
上端に前記ノズル部、下端にねじ部、中間部にフランジ部を有する筒本体と、
前記ねじ部に螺合するナットと、
前記フランジ部およびナットと、前記洗い場パンとの間に挟着されるシール材と
を備え、
前記フランジ部が、前記シール材を挟着させた状態で洗い場パンの表面に当接するとともに、前記ナットが、前記洗い場パンの裏面側に突出する前記ねじ部に螺合することを特徴とする浴室ユニット。
【請求項２】
前記筒状パッキンは、前記ノズル部が内嵌された位置より上側に蛇腹部が形成されていることを特徴とする請求項１に記載の浴室ユニット。
【請求項３】
前記ガイド本体は、前記ノズル部に階段状に形成された滑り止めが形成されていることを特徴とする請求項１又は請求項２に記載の浴室ユニット。
【請求項４】
前記ナットが、前記洗い場パンの裏面に形成されたリブとリブとの間に回り止め状態に嵌まり込む大きさに形成されている請求項１から請求項３のいずれか一項に記載の浴室ユニット。
【請求項５】
前記水栓が、浴室ベンチに設けられている請求項１から請求項４のいずれか一項に記載の浴室ユニット。
【発明の詳細な説明】
【技術分野】
【０００１】
本発明は、洗い場側で給水配管を立ち上げた浴室ユニットに関するものである。
【背景技術】
【０００２】
従来、洗い場の給水構造としては、例えば、（１）浴槽側で配管を立ち上げた後、配管を横引きし、浴槽と洗い場とを仕切るエプロンを貫通させて、エプロンに隣接するカウンターの内部に引き込み、カウンターに設けられた水栓に接続する構造や、（２）浴槽側で配管を立ち上げて、壁パネルの裏側を横引きした後、洗い場側の壁パネルに設けられた水栓に接続する構造や、（３）洗い場のカウンター設置部の下方に、洗い場の床よりも一段高いデッキ部を設け、このデッキ部に配管を貫通させる開口部を設けて、洗い場側で配管を立ち上げ、カウンターに設けられた水栓に接続する構造が提案されている（例えば、特許文献１参照）。
【０００３】
しかしながら、上記の（１）の構造では、エプロンを貫通して洗い場側に引き出された配管を隠すために、カウンターをエプロンに隣接して配置する必要があり、カウンターの配置場所が制限されてしまう。また、(２)の構造では、浴室ユニットと建物との間に配管が通るため、配管スペースが十分に確保できない場合には、浴室ユニットを小さくしなければならない。さらに、（３）の構造では、カウンターの下方にデッキ部が設けられているため、洗い場の床面積が小さくなってしまう。
【特許文献１】実公平４−７２５６号公報
【発明の開示】
【発明が解決しようとする課題】
【０００４】
本発明は、上記問題点に鑑みてなされたものであって、洗い場側の任意の位置において、配管を省スペースで立ち上げることができる浴室ユニットを提供することにある。
【課題を解決するための手段】
【０００５】
上記課題を解決するために、本願の発明は、洗い場パンの水栓設置位置を下方から臨む位置に、配管ガイド筒が、洗い場パンの床面を貫通して洗い場パンに水密に装着され、可撓性配管が、前記配管ガイド筒を介して、前記洗い場パンの下方から浴室内に挿入されて水栓に接続され、前記配管ガイド筒は、前記洗い場パン上に立ち上がるノズル部を有する合成樹脂製のガイド本体と、前記ノズル部が水密に内嵌され、少なくとも上端部が、挿入される前記可撓性配管の外径と略同じか少し小径の内径に形成されたゴム状弾性を有する筒状パッキンとを備え、該筒状パッキンの上端縁の高さが前記洗い場パンの周端縁部の高さより高くなるように形成され、前記ガイド本体は、上端に前記ノズル部、下端にねじ部、中間部にフランジ部を有する筒本体と、前記ねじ部に螺合するナットと、前記フランジ部およびナットと、前記洗い場パンとの間に挟着されるシール材とを備え、前記フランジ部が、前記シール材を挟着させた状態で洗い場パンの表面に当接するとともに、前記ナットが、前記洗い場パンの裏面側に突出する前記ねじ部に螺合することを特徴とする。
【０００６】
また、本願の発明は、前記筒状パッキンは、前記ノズル部が内嵌された位置より上側に蛇腹部が形成されていることを特徴とする。
【０００７】
また、本願の発明は、前記ガイド本体は、前記ノズル部に階段状に形成された滑り止めが形成されていることを特徴とする。
【０００８】
また、本願の発明は、前記ナットが、前記洗い場パンの裏面に形成されたリブとリブとの間に回り止め状態に嵌まり込む大きさに形成されていることを特徴とする。
【０００９】
また、本願の発明は、前記水栓が、浴室ベンチに設けられていることを特徴とする。
【発明の効果】
【００１０】
本願の発明は、洗い場パンの水栓設置位置を下方から臨む位置に、配管ガイド筒が、洗い場パンの床面を貫通して洗い場パンに水密に装着され、可撓性配管が、配管ガイド筒を介して、洗い場パンの下方から浴室内に挿入され、水栓に接続されているので、可撓性配管の立ち上げが容易である上、浴室内の水が洗い場パンの床下に漏水するのを確実に防止できる。また、洗い場内における配管の占有スペースが少なく、浴室内の空間を有効利用できる。
【００１１】
また、本願の発明は、配管ガイド筒が、洗い場パンに水密に固定され、洗い場パン上に立ち上がるノズル部を有するガイド本体と、前記ノズル部が水密に内嵌され、少なくとも上端部が、挿入される可撓性配管の外径と略同じか少し小径の内径に形成された筒状パッキンとを備え、筒状パッキンの上端縁の高さが洗い場パンの周端縁部の高さより高くなるように形成されているので、筒状パッキンにより、ガイド本体と可撓性配管との隙間に浴室内の水が浸入するのを効果的に防止できる。
【００１２】
また、本願の発明は、ガイド本体が、一端にノズル部、他端にねじ部、中間部にフランジ部を有する筒本体と、前記ねじ部に螺合するナットと、前記フランジ部およびナットと、洗い場パンとの間で狭着されるシール材とを備えているので、筒本体のねじ部にナットを螺着するだけで、パッキンを介して、ガイド本体を床面に水密に狭着固定することができ、床面とガイド本体との隙間に浴室内の水が浸入するのを効果的に防止できる。また、ノズル部が、階段状に形成された滑り止めを有するので、筒状パッキン１１がガイド本体１０から外れにくい。
【００１３】
また、本願の発明は、ナットが、洗い場パンの裏面に形成されたリブとリブとの間で回り止め状態に嵌まり込む大きさに形成されているので、ナットをリブとリブとの間に嵌め込むだけで位置決めができる上、洗い場パンの表面側からガイド本体のねじ部をねじ込むだけで、簡単かつ確実に、ガイド本体のねじ部にナットを螺着固定することができる。
【００１４】
また、本願の発明は、水栓が、浴室ベンチに設けられているので、浴室ベンチに座った状態で、容易に水栓の開閉動作を行うことができる。
【発明を実施するための最良の形態】
【００１５】
以下、本発明にかかる浴室ユニットの一実施形態について、図面に基づいて詳細に説明する。
図１に示すように、本実施形態の浴室ユニット１は、洗い場パン２と、洗い場パン２に隣接して配置される浴槽パン３と、浴槽パン３の上に設置される浴槽４と、浴槽４と洗い場とを仕切る浴槽エプロン５と、浴室ベンチ６と、水栓７と、洗い場パン２に水密に装着された配管ガイド筒８ａと、配管ガイド筒８ａを介して洗い場パン２の下方から浴室内に挿入され水栓７に接続されている可撓性を有する配管Ｔと、配管ガイド筒８ａと配管Ｔとを隠蔽するカバー材９とを備えている。
浴室ベンチ６は、浴槽４に隣接して配置されており、浴室ベンチ６の座面は、浴槽４のカウンター部４００の上面と略同じ高さとなっている。
水栓７は、浴室ベンチ６の長さ方向一端部に設けられており、水栓７には、シャワーヘッド７００が取り付けられている。
【００１６】
配管ガイド筒８ａは、図２に示すように、合成樹脂製のガイド本体１０と、筒状パッキン１１とを備えている。
【００１７】
ガイド本体１０は、一端にノズル部１２０、他端にねじ部１２１、中間部にフランジ部１２２を有する筒本体１２と、筒本体１２のねじ部１２１に螺合するナット１３と、筒本体１２のフランジ部１２２およびナット１３と、洗い場パン２との間で狭着されるシール材１４ａとを備えている。
【００１８】
筒本体１２の内部は、ねじ部１２１の先端からノズル部１２０の先端に向かって狭くなっている。また、ノズル部１２０は、筒状パッキン１１を装着しやすいように、先端に向かって先細状に形成されており、ノズル部１２０の外周面には、階段状の滑り止めが形成されている。
【００１９】
ナット１３は、図３に示すように、外形が平面視略正方形状で、ナット１３の対角線の長さは、洗い場パン２の裏面側に設けられたリブ２００，２００間の距離よりも長く、リブ２００，２００間に、回り止め状態に嵌合可能となっている。
【００２０】
シール材１４ａは、図２に示すように、フランジ部１２２およびナット１３と、洗い場パン２との間で狭着される平パッキン１４０と、ねじ部１２１の外周に密着するシールテープ１４１と、フランジ部１２２と平パッキン１４０との間に介装されるスリップパッキン１４２とから構成されている。
【００２１】
筒状パッキン１１は、ガイド本体１０のノズル部１２０に水密に外嵌される装着部１１０と、装着部１１０よりも小径の配管挿通部１１１と、装着部１１０と配管挿通部１１１との間に形成される蛇腹部１１２とを備え、装着部１１０の外周には、補強リブ１１３が設けられている。
配管挿通部１１１の内径は、挿入される配管Ｔの外径よりも少し小径に形成されている。
【００２２】
次に、配管Ｔを水栓７に接続する手順について説明する。
まず、図１〜図３に示すように、洗い場パン２の水栓７の設置位置を下方から臨む位置で、洗い場パン２の裏面に形成されたリブ２００，２００の間に、洗い場パン２の厚さ方向に貫通する貫通孔２０１を設ける。
次に、ナット１３と洗い場パン２の裏面との間に平パッキン１４０を介装させた状態で、ナット１３を洗い場パン２の裏面に当接させ、ナット１３と貫通孔２０１とを連通させる。
そして、ガイド本体１０のねじ部１２１を洗い場パン２の表面側から貫通孔２０１に嵌合させ、ナット１３にねじ込んで螺着固定する。このとき、ねじ部１２１の周囲にシールテープ１４１を密着させるとともに、フランジ部１２２と洗い場パン２との間に、平パッキン１４０とスリップパッキン１４２とを介装させておく。
その後、洗い場パン２の裏面側から配管Ｔを立ち上げて、配管Ｔの先端部をガイド本体１０に挿通させ、ガイド本体１０のノズル部１２０の上方に引き出す。
筒状パッキン１１を配管Ｔの先端側からガイド本体１０のノズル部１２０および配管Ｔに外嵌させ、筒状パッキン１１の補強リブ１１３をガイド本体１０のフランジ部１２２に突き当てる。
配管Ｔの先端部を水栓７に接続した後、筒状パッキン１１の先端部に、ホースバンド等の締結部材（図示せず）を取り付けて、筒状パッキン１１と配管Ｔとの間の止水を施す。
最後に、浴室ベンチ６の下方に露出する配管Ｔおよび配管ガイド筒８ａをカバー材９で隠蔽する。
【００２３】
以上詳述したように、本実施形態の浴室ユニット１は、洗い場パン２に水密に装着された配管ガイド筒８ａを介して、配管Ｔが洗い場パン２の下方から浴室内に挿入され、水栓７に接続されているので、配管Ｔの立ち上げが容易である上、浴室内の水が洗い場パン２の床下に漏水するのを確実に防止できる。また、浴室内の配管長さと配管接続箇所の数を減らすことができ、漏水を効果的に防止できる。
【００２４】
また、浴室ベンチ６の下方での配管Ｔの占有スペースが少なく、浴室ベンチ６の下方空間を広くとることができる。そのため、浴室ベンチ６の下方空間の清掃がしやすい上、収納空間として利用することもできる。また、浴室ベンチ６に座った状態で、容易に水栓７の開閉動作を行うことができ、快適に入浴できる。さらに、浴室ベンチ６の座面が、浴槽４のカウンター部４００と同じ高さであるので、浴室ベンチ６から浴槽４にスムーズに移動できる。
【００２５】
また、ナット１３は、洗い場パン２のリブ２００，２００間に、回り止め状態に嵌まり込む大きさに形成されているので、ナット１３をリブ２００，２００間に嵌め込むだけで、ナット１３の位置決めができる上、洗い場パン２の表面側からガイド本体１０のねじ部１２１をねじ込むだけで、簡単かつ確実に、ガイド本体１０のねじ部１２１にナット１３を螺着固定することができる。
【００２６】
また、ガイド本体１０にノズル部１２０が設けられているので、床下から導入された配管Ｔを水栓７に向かってスムーズに立ち上げることができる上、立ち上げられた配管Ｔを保護することもできる。
また、ガイド本体１０のノズル部１２０の外周面に滑り止めが形成されているので、筒状パッキン１１の装着部１１０がガイド本体１０から外れにくい。
【００２７】
さらに、筒本体１２の内径は、ノズル部１２０の先端からねじ部１２１の先端に向かって大きくなっているので、配管Ｔを挿入しやすい。
【００２８】
また、筒状パッキン１１の配管挿通部１１１の内径が、挿入される配管Ｔの外径よりも少し小径に形成されているので、筒状パッキン１１の配管挿通部１１１を配管Ｔに密着させることができ、配管挿通部１１１と配管Ｔとの隙間からの水漏れを効果的に防止できる。
【００２９】
なお、筒状パッキン１１の配管挿通部１１１は、大径部と、この大径部よりも小径の小径部とから構成されていてもよい。このようにすれば、配管の外径に応じて、小径部を残したまま、あるいは、小径部を切断して使用することができ、外径寸法の異なる配管にも対応できる。
また、筒状パッキン１１の配管挿通部１１１の先端部は、閉塞された形状であってもよい。このようにすれば、ガイド本体１０のノズル部１２０の開口端を閉塞するキャップとしても使用できる。
さらに、筒状パッキン１１の材料としては、ゴム状弾性を有するものであれば特に限定されるものではなく、合成ゴム、天然ゴム、エラストマー、軟質樹脂等が挙げられる。
【００３０】
ところで、本実施形態の浴室ユニット１は、水栓７に接続される配管Ｔを洗い場パン２の下方から浴室内に立ち上げるようにしているので、水栓７の設置場所を自由に設定できる。したがって、水栓７を設けた浴室ベンチ６の配置場所や寸法等についても自由に設定できる。
【００３１】
図４、図５は、浴室ベンチ６と浴槽４とを隣接して配置した場合である。このようにすれば、浴槽４に続く広い座面を形成することができる。
【００３２】
図６は、浴室ベンチ６を浴槽４と反対側の壁に沿って、浴槽４に対向配置させた配置例である。このようにすれば、浴室ベンチ６と浴槽４との間に、２方向の扉を設けることができる。
【００３３】
図７は、浴室ベンチ６を浴槽４と反対側の壁の略中央部から浴槽４に向かって張り出して設けた、いわゆるアイランド型の配置例である。このようにすれば、浴室ベンチ６の周囲三方を洗い場とすることができるので、使用者が入浴介助を必要とする場合でも、浴室ベンチ６の周囲から介助しやすいという利点がある。
【００３４】
次に、本発明にかかる第２の実施形態について説明する。本実施形態の配管ガイド筒８ｂは、図８に示すように、シール材１４ｂが、スリップパッキン１４２とＵパッキン１４３とから構成されている以外は、第１の実施形態の配管ガイド筒８ａと同一の構成であるので、同一構成部分については、同一符号を付して、詳細な説明は省略する。
本実施形態の配管ガイド筒８ｂによれば、あらかじめ貫通孔２０１の周縁にパッキン１４３を装着した後に、洗い場パン２の裏面側に配置したナット１３にガイド本体１０のねじ部１２１を螺着固定するので、パッキンの位置ずれや脱落が起こりにくく、施工が容易である。
【図面の簡単な説明】
【００３５】
【図１】本発明にかかる一実施形態の浴室ユニット１の配管構造を示す側断面図。
【図２】配管ガイド筒８ａを洗い場パン２に取り付けた状態を示す片側断面図である。
【図３】配管ガイド筒８ａを洗い場パン２に取り付けた状態を示す平面図である。
【図４】本実施形態の浴室ユニット１における浴室ベンチ６の一配置例を示す平面図である。
【図５】本実施形態の浴室ユニット１における浴室ベンチ６の他の配置例を示す平面図である。
【図６】本実施形態の浴室ユニット１における浴室ベンチ６の他の配置例を示す平面図である。
【図７】本実施形態の浴室ユニット１における浴室ベンチ６の他の配置例を示す平面図である。
【図８】配管ガイド筒８ｂを洗い場パン２に取り付けた状態を示す片側断面図である。
【符号の説明】
【００３６】
１      浴室ユニット
２      洗い場パン
２００  リブ
６      浴室ベンチ
７      水栓
８ａ    配管ガイド筒
８ｂ    配管ガイド筒
１０    ガイド本体
１１    筒状パッキン
１２    筒本体
１３    ナット
１４ａ  シール材
１４ｂ  シール材
１４０  平パッキン
１４１  シールテープ
１４２  スリップパッキン
１４３  Ｕパッキン
Ｔ      配管
【図１】
0005574356.tif 000002
【図２】
0005574356.tif 000003
【図３】
0005574356.tif 000004
【図４】
0005574356.tif 000005
【図５】
0005574356.tif 000006
【図６】
0005574356.tif 000007
【図７】
0005574356.tif 000008
【図８】
0005574356.tif 000009